(57)【特許請求の範囲】
【請求項１】
柱状改質部（Ｃ）が形成された地盤（Ｇ）の復元方法であって、
前記柱状改質部（Ｃ）から離れた位置を取り囲み且つ前記地盤（Ｇ）を掘削する切刃（１２）を先端に備えた円筒状の先頭ケーシング（１１）と、
該先頭ケーシング（１１）の後部に連結していく円筒状の中間ケーシング（２１）と、
連結された前記両ケーシング（１１、２１）の内部に入り込み且つ前記柱状改質部（Ｃ）を破砕する爪（３２）を備えたグラブバケット（３１）と、
を用い、
前記先頭ケーシング（１１）を回転させて前記柱状改質部（Ｃ）の周囲を掘削すると共に、該先頭ケーシング（１１）の後部に前記中間ケーシング（２１）を順次連結し、該先頭ケーシング（１１）を該柱状改質部（Ｃ）の下部付近まで到達させ、
次に、連結された前記両ケーシング（１１、２１）の内部に前記グラブバケット（３１）を差し込み、前記爪（３２）で前記柱状改質部（Ｃ）を破砕すると共に、破砕された該柱状改質部（Ｃ）および周辺の土砂類を地上に排出し、
前記柱状改質部（Ｃ）を撤去後、連結された前記両ケーシング（１１、２１）は、複数回に分けて段階的に引き上げるほか、該両ケーシング（１１、２１）の内部には埋め戻し材（Ｂ）を投入し、該埋め戻し材（Ｂ）を前記グラブバケット（３１）の前面で突き固め、
その際、前記埋め戻し材（Ｂ）の投入と、前記両ケーシング（１１、２１）の引き上げと、該埋め戻し材（Ｂ）の突き固めと、で構成される三工程は複数回繰り返し、該両ケーシング（１１、２１）の全てを地上に引き上げると共に、前記柱状改質部（Ｃ）を撤去した空間に該埋め戻し材（Ｂ）を均等に圧入することを特徴とする地盤の復元方法。
【発明の詳細な説明】
【技術分野】
【０００１】
本発明は、ソイルセメントコラム工法で構築された柱状改質部を撤去し、原状回復を実現する地盤の復元方法に関する。
【背景技術】
【０００２】
各種構造物や建築物を地上に施工する場合、その沈下を防ぐため、杭の打ち込みや地盤改良を行うことがある。杭は、鉄製や木製やコンクリート製など、様々な種類が存在し、その埋め込み方法も様々である。また地盤改良についても、同様に様々な方法が存在するが、その一つとしてソイルセメントコラム工法が挙げられる。この工法は、セメント系固化材と水を地中に圧入し、これらを既存の土砂類と混合させ、ほぼ円断面の柱状改質部（ソイルセメントコラム）を形成するもので、狭い敷地でも無理なく施工可能で、その際の騒音や振動も少なく、住宅用途を中心に広く普及している。
【０００３】
ソイルセメントコラム工法に関する技術開発の例として、後記特許文献１が挙げられる。この文献では、ソイルセメントコラムの構築、撤去方法が開示されており、構築のほか、撤去も簡単に実施できることを特徴としている。具体的には、ソイルセメントコラム（以下、コラムと記載）の構築途中において、その中心に鋼管（支持兼ガイド管）を挿入し、これを中心軸として、攪拌ロッドを回転させながら徐々に引き上げる。このように、鋼管を用いることで、攪拌ロッドの横ブレを規制でき、安定した回転が実現し、固化材と土砂類の混合が促進され、均一で良質のコラムを構築できる。またコラムの撤去時は、前記の鋼管をガイドとして中空オーガを埋め込むことで、その先端の切削ビットが逃げることなくコラムと接触し、コラム全体を円滑に粉砕することができる。
【０００４】
次に、杭の撤去については、その大きさなどに応じて様々な技術が開発されており、一例として後記特許文献２、３が挙げられる。特許文献２では、大径の場所打ち杭に関し、低騒音で作業性にも優れた既設杭の撤去装置が開示されている。この装置は、二種類の掘削刃を備えた掘削ケーシングと、掘削ケーシングの後部に連結していく中間ケーシングなどで構成され、掘削ケーシングにより既設杭の周囲を環状に掘削すると共に、中間ケーシングを順次連結し、掘削ケーシングを押し込んでいく。そして掘削ケーシングが既設杭よりも深い位置に到達すると、既設杭の周囲が地盤から縁切りされ、無理なく既設杭を吊り上げ、撤去することができる。
【０００５】
特許文献３では、安全性に優れ、しかも埋め戻しにより安定地盤を得られる既存杭の撤去方法が開示されている。この方法は、既存杭を取り囲むように埋め込むケーシングを二重構造とし、そのうちの内側管と共に既存杭を引き抜き、その後、既存杭が抜けた空間部に充填材を供給し、埋め戻しを行うものである。ただし既存杭は、一気に引き抜くのではなく、段階的に引き抜き、さらに引き抜き作業の合間に充填材を供給し、都度、地中の空間部を埋めていく。そのため既存杭が完全に引き抜かれた際、埋め戻しもほぼ完了し、直ちに安定地盤を得られる。またケーシングを二重構造とすることで、既存杭をそのままの状態で地上に引き抜くことができ、その後に既存杭を破砕するため、安全性に優れる。
【先行技術文献】
【特許文献】
【０００６】
【特許文献１】特開２０１２−２１３１０号公報
【特許文献２】特開２０００−１４４７３５号公報
【特許文献３】特開２００３−６４６８０号公報
【発明の概要】
【発明が解決しようとする課題】
【０００７】
住宅は、世代交代などの社会的要因も絡み合い、五十年程度で解体される可能性が高く、その後に敷地を譲渡する場合、原状回復を要求されることがある。その際、ソイルセメントコラム工法による柱状改質部が形成されていれば、これを撤去する必要がある。この撤去作業は、狭隘な住宅地で行うことも多いため、大掛かりな装置を用いることなく実施できることが望ましい。また振動や騒音など、周辺環境にも十分配慮すべきである。なお前記特許文献１では、ソイルセメントコラムの撤去方法が開示されているが、ここでのソイルセメントコラムは、中心に鋼管を埋め込むことを前提としており、どのような状況でも使用できるものではない。
【０００８】
ソイルセメントコラムの撤去で生じた空間は、土砂類を投入して埋め戻すが、元の地盤の流動性が高い場合もあるため、土砂類の投入は、地盤にケーシングを埋め込んだ状態で行うことが多い。さらに、地中に空洞が残ることを防ぐため、前記特許文献３のように、土砂類（充填材）の供給を段階的に行うこともある。このように、埋め戻しに際しては、これまでにも様々な対策が講じられているが、それでも軟弱地盤という性質上、埋め戻し後、地表面に凹みが生じ、原状回復を実現できないことがある。
【０００９】
本発明はこうした実情を基に開発されたもので、ソイルセメントコラム工法による柱状改質部について、周辺環境に配慮しながら撤去できるほか、原状回復を確実に実現できる地盤の復元方法の提供を目的としている。
【課題を解決するための手段】
【００１０】
前記の課題を解決するための請求項１記載の発明は、柱状改質部が形成された地盤の復元方法であって、前記柱状改質部から離れた位置を取り囲み且つ前記地盤を掘削する切刃を先端に備えた円筒状の先頭ケーシングと、該先頭ケーシングの後部に連結していく円筒状の中間ケーシングと、連結された前記両ケーシングの内部に入り込み且つ前記柱状改質部を破砕する爪を備えたグラブバケットと、を用い、前記先頭ケーシングを回転させて前記柱状改質部の周囲を掘削すると共に、該先頭ケーシングの後部に前記中間ケーシングを順次連結し、該先頭ケーシングを該柱状改質部の下部付近まで到達させ、次に、連結された前記両ケーシングの内部に前記グラブバケットを差し込み、前記爪で前記柱状改質部を破砕すると共に、破砕された該柱状改質部および周辺の土砂類を地上に排出し、前記柱状改質部を撤去後、連結された前記両ケーシングは、複数回に分けて段階的に引き上げるほか、該両ケーシングの内部には埋め戻し材を投入し、該埋め戻し材を前記グラブバケットの前面で突き固め、その際、前記埋め戻し材の投入と、前記両ケーシングの引き上げと、該埋め戻し材の突き固めと、で構成される三工程は複数回繰り返し、該両ケーシングの全てを地上に引き上げると共に、前記柱状改質部を撤去した空間に該埋め戻し材を均等に圧入することを特徴とする地盤の復元方法である。
【００１１】
本発明は、柱状改質部が形成された地盤の原状回復を実現するもので、金属製やコンクリート製の杭の撤去を想定したものではない。また柱状改質部は、一般にソイルセメントコラムと呼ばれ、セメント系固化材などを地中に圧入し、既存の土砂類を円柱状に凝固させ、杭と同等の機能を発揮させるものだが、セメント系固化材の種類や、その施工方法などに制限はない。ただしソイルセメントコラムを強化するため、金属棒や鉄筋などを組み込んである場合、制約を受けることもある。
【００１２】
先頭ケーシングは、柱状改質部の外側を環状に掘削するために用い、円筒状である。そして請求項１の「柱状改質部から離れた位置を取り囲み」とは、先頭ケーシングの内径を柱状改質部の外径よりも大きくし、柱状改質部と先頭ケーシングの間には、既存の土砂類が入り込むことを意味する。これは、柱状改質部の外縁が明確でないことや、経年により、柱状改質部から浸透した析出物を除去するためである。また先頭ケーシングは、オーガなどの建設機械を用い、回転させながら地盤に埋め込んでいく。そのため先頭ケーシングの下端面には、地盤を掘削する切刃を備えている。
【００１３】
中間ケーシングは、先頭ケーシングの上端面に連結し、先頭ケーシングを地中深くに押し込むために用い、円筒状で先頭ケーシングに応じた外径となる。さらに中間ケーシングは、複数個を上下に積み重ねることも想定している。ただし連結されたケーシングは、地上に突出した最上部で駆動するため、隣接するケーシング同士は、何らかの手段で強固に連結し、推進力や回転力を確実に伝達できるようにする。なおこの連結手段は、自在に選択可能だが、フランジなどの突出部は、上下移動を妨げるため、最小限に留める。
【００１４】
先頭ケーシングと中間ケーシングを順次連結していくことで、個々のケーシングの全長を抑制でき、現地への搬入や搬出が容易になるほか、施工時に大型クレーンを用いることもない。また個々のケーシングは、小型クレーンで無理なく吊り上げることができるほか、人力での位置調整も可能で、連結や切り離しを円滑に実施できる。そのほか本発明では、先頭ケーシングに切刃を備えており、連結されたケーシングを回転させ、下向きに推進させるだけで地盤に食い込んでいく。そのため騒音や振動が抑制される。
【００１５】
施工時は、先頭ケーシングの後部に中間ケーシングを順次連結していくが、その到達深さは、柱状改質部の下部付近とする。なお柱状改質部の深さは、施工時の資料や、事前のボーリング調査などに基づいて決定する。そして、ケーシングが所定の深さに到達した後、柱状改質部の撤去作業を行うが、その性質上、形状を維持しながら地上に引き抜くことは難しく、内部で破砕した後、周囲の土砂類も併せて地上に排出する。
【００１６】
グラブバケットは、柱状改質部の撤去のために用い、左右一対のバケットが油圧で開閉する。そして本発明で用いるグラブバケットは、ケーシングの内部に差し込むことを考慮し、真上から見て円形としてあり、ケーシングの内周面との隙間をできるだけ小さくする。さらに、開閉する個々のバケットは、半球形としてあり、その開き具合にかかわらず、外径が一定になる。そのほか個々のバケットの先端には、柱状改質部を破砕する爪を複数備えている。したがってバケットをいっぱいに開くと、爪がケーシングの内周面近くに位置し、その後にバケットを閉じると、柱状改質部を外側から挟み込んで破砕する。
【００１７】
グラブバケットは、各種建設機械のアームの先端に取り付け、ケーシングの内部に差し込み、その爪を油圧で移動させることで、柱状改質部を破砕する。さらに破砕された柱状改質部などは、グラブバケットの本来の機能により、ケーシングからすくい上げ、地上に排出する。このように、破砕と排出を繰り返すことで、ケーシングの先端付近までの掘削を完了させる。ここで挙げた破砕と排出は、全てケーシングの内部で行われるため、騒音の拡散を抑えることができる。また柱状改質部は、爪による挟み込みで破砕するため、衝撃音が発生することもない。
【００１８】
柱状改質部と土砂類をほぼ全て撤去し、ケーシングの内部が単なる空洞になった後、原状回復を図るため、そこに埋め戻し材を投入する。埋め戻し材は、砂利や砕石など、目的に応じて最適な物を選択する。さらに埋め戻し材を突き固めるため、ケーシングの内部に前記のグラブバケットを差し込み、表面を押圧する。この押圧の際は、左右のバケットを閉じ、その前面を埋め戻し材の表面に接触させる。グラブバケットは、前記のように、ケーシングの内周面との隙間をできるだけ小さくしてあり、埋め戻し材の表面全域を均等に突き固める。
【００１９】
埋め戻し材の投入は、ケーシングの引き上げと連動して行う。具体的には、埋め戻し材を一定量だけ投入した後、ケーシングを一定距離だけ引き上げ、その後に突き固めを行う。この手順を採用することで、ケーシングが抜けた環状空間に素早く埋め戻し材を押し込み、地中に空洞が残ることを防ぐ。そして再び、ケーシングの内部に埋め戻し材を投入し、次にケーシングを引き上げ、埋め戻し材を突き固める。この三工程を繰り返すことで、ケーシングの全てが地上に引き上げられるほか、埋め戻し材は、深さにかかわらず、ほぼ均等に突き固められる。
【００２０】
一度に投入する埋め戻し材の量は、その後の突き固めとの兼ね合いで決定する。具体的には、突き固めの効果が、その直前に投入された埋め戻し材の最下部まで到達できるよう、投入量を調整する。したがって埋め戻し材の密度は、その深さにかかわらず均等になる。またケーシングの一度の引き上げ距離は、埋め戻し材の投入量との兼ね合いで決定する。具体的には、ケーシングが抜けたことで生じる環状空間に、埋め戻し材が隙間なく入り込めるよう、引き上げ距離を調整し、地中に空洞が残ることを防ぐ。
【００２１】
ケーシングの引き上げに伴い、中間ケーシングの全体が地上に現れる。この中間ケーシングは、その下に位置するケーシングから切り離し、地上からの突出高さを抑制する。そして先頭ケーシングの全体が地上に現れ、埋め戻し材の突き固めを終えると、その場所の原状回復が実現する。なお排出された柱状改質部や土砂類は、六価クロムなどの有害物質を含まないことを前提とするが、他の箇所で埋め戻し材として用いることもできる。
【００２２】
このように、ケーシングを回転主体で埋め込むことで、騒音や振動が抑制される。また、ケーシングに対応したグラブバケットを用い、柱状改質部をケーシングの内部で挟み込むことで、衝撃音を生じることなく全断面を一度に破砕できる。さらに、埋め戻し材の投入と、その突き固めを繰り返すことで、埋め戻し材の密度は全域で均等になり、後の緩みを生じにくい。そしてケーシングの引き上げは、埋め戻し材の投入や突き固めと同期させることで、ケーシングが抜けた環状空間にも、埋め戻し材が隙間なく入り込み、地中に空洞が残ることを防ぐ。
【発明の効果】
【００２３】
請求項１記載の発明のように、先端に切刃を備えた先頭ケーシングを用い、これを回転させながら地盤に押し付けることで、地盤を少しずつ連続的に掘削していくため、衝撃音や振動を伴うことなく、先頭ケーシングを柱状改質部の下部付近まで到達させることができる。また、先頭ケーシングと中間ケーシングを順次連結していくことで、個々のケーシングの全長が抑制され、搬入・搬出や、現地での作業が容易になるほか、使用する各種建設機械も小型のもので間に合い、狭隘な住宅地でも無理なく施工できる。さらに柱状改質部は、ケーシングの内部において、グラブバケットで挟み込んで破砕するため、衝撃音を生じないほか、騒音の拡散も抑制できる。
【００２４】
ケーシング内の柱状改質部と土砂類をほぼ全て排出した後、埋め戻し材の投入と、その突き固めを段階的に繰り返していくが、一度に投入する埋め戻し材の量は、突き固めの効果がその全体に及ぶ程度に抑制する。その結果、埋め戻し材の密度は全域で均等になり、後の緩みを生じにくくなる。またケーシングの引き上げは、埋め戻し材の投入や突き固めと同期させることで、ケーシングが抜けた環状空間にも、埋め戻し材が隙間なく入り込み、地中に空洞が残ることを防ぐ。これらの効果により、埋め戻し後の地盤は安定し、確実に原状回復を実現できる。
【図面の簡単な説明】
【００２５】
【図１】本発明による地盤の復元方法の流れを示す図で、地盤には柱状改質部が形成されている。
【図２】埋め戻し材を投入する工程の詳細を示す図である。
【発明を実施するための形態】
【００２６】
図１は、本発明による地盤Ｇの復元方法の流れを示し、地盤Ｇには柱状改質部Ｃが形成されている。柱状改質部Ｃは、一般にソイルセメントコラム工法と呼ばれる技術で形成されたソイルセメントコラムであり、セメント系固化材と既存の土砂類を混ぜ合わせ、円柱状に凝固させたもので、鉄筋や鉄骨などは組み込まれていない。なお柱状改質部Ｃの外側には、既存の土砂類がそのまま残っている。
【００２７】
柱状改質部Ｃを撤去するため、図１の左上および中央上に描くように、まずは先頭ケーシング１１で柱状改質部Ｃの外側を掘削していく。先頭ケーシング１１は、金属製の円筒状で、その下端面には地盤Ｇを掘削する切刃１２を備えており、先頭ケーシング１１を回転させながら地盤Ｇに押し込むことで、切刃１２が少しずつ地盤Ｇを切り裂き、全体が徐々に地盤Ｇの中に入り込んでいく。なお先頭ケーシング１１の内径は、柱状改質部Ｃの外径よりも大きくしてある。これは、掘削時に硬い領域を避けることのほか、セメント系固化材やその析出物が浸透した範囲も撤去し、原状回復をより確実に実現するためである。
【００２８】
掘削により、先頭ケーシング１１の大半が地盤Ｇに入り込むと、図１の中央上に描くように、先頭ケーシング１１の後部に中間ケーシング２１を連結し、引き続き、先頭ケーシング１１を押し込んでいく。中間ケーシング２１は、先頭ケーシング１１と同一断面で、連結面に段差などはない。なお中間ケーシング２１は、複数個を積み重ね、先頭ケーシング１１をより深くまで押し込んでいく。当然ながら、連結された先頭ケーシング１１と中間ケーシング２１は、その最上部の中間ケーシング２１に回転力や推進力を加える。そのため、隣接するケーシング１１、２１同士は、強固に連結し、各種力を確実に伝達する必要がある。
【００２９】
ケーシング１１、２１同士の連結方法は、自在に選択できるが、フランジのような突出部は、地盤Ｇとの間に抵抗を生じてしまう。そこで、ケーシング１１、２１同士の連結面に凹凸を設け、これらを噛み合わせるなどの方法を導入する。ただし、連結や切り離しに要する手間や時間は、最小限となるよう配慮を要する。なおケーシング１１、２１の回転や推進のため、実際にはオーガなどの建設機械を地上に設置するが、図１ではこれらを省略している。
【００３０】
中間ケーシング２１を順次連結しながら掘削を続けていくと、やがて図１の右上に描くように、先頭ケーシング１１は、柱状改質部Ｃの下部付近に到達する。ここで掘削を終了し、次にグラブバケット３１を用い、柱状改質部Ｃを撤去していく。グラブバケット３１は、ケーシング１１、２１の内部に差し込むことを想定し、上から見て円形である。さらに、油圧によって開閉する左右のバケット３３は、いずれも半球形で、その開閉状態にかかわらず外径が一定になる。そのため、ケーシング１１、２１の内周面との隙間が小さい。また個々のバケット３３の先端には、柱状改質部Ｃを破砕する爪３２を備えている。
【００３１】
左右のバケット３３を開いた状態で、グラブバケット３１をケーシング１１、２１の内部に差し込み、爪３２を柱状改質部Ｃの上端面に押し付け、油圧でバケット３３を閉じると、爪３２は、ケーシング１１、２１の内周面付近から中心に向かい、柱状改質部Ｃを挟み込んで破砕する。そしてバケット３３を閉じたまま地上に引き上げると、柱状改質部Ｃが地上に排出される。この作業を繰り返すことで、図１の左下に描くように、柱状改質部Ｃと、その周辺の土砂類がほぼ全て撤去される。
【００３２】
次に、図１の中央下に描くように、ケーシング１１、２１の内部に埋め戻し材Ｂを投入する。埋め戻し材Ｂは、砂利や砕石など、原状回復に適したものを適宜選択する。この埋め戻し材Ｂは、一度に全量を投入する訳ではなく、複数回に分けて繰り返し投入していく。そして個々の投入を終えた後、連結されたケーシング１１、２１を一定距離だけ引き上げ、次にグラブバケット３１で埋め戻し材Ｂを上から突き固める。この突き固めにより、埋め戻し材Ｂは、ケーシング１１、２１を引き上げたことで生じる環状空間に入り込み、空洞の発生を防ぐ。なお突き固めの際、バケット３３は閉じた状態とし、その球形の前面全体で埋め戻し材Ｂを押圧する。
【００３３】
埋め戻し材Ｂの投入と、ケーシング１１、２１の引き上げと、埋め戻し材Ｂの突き固めと、で構成される工程を繰り返すことで、掘削した箇所が段階的に埋め戻される。また最上部に連結された中間ケーシング２１は、引き上げに伴い、やがてその全体が地上に現れる。そこでこの中間ケーシング２１だけを切り離し、上方への突出を抑制する。そして最終的には、図１の右下に描くように、全てのケーシング１１、２１が引き上げられるほか、柱状改質部Ｃとその周辺の土砂類は、圧入された埋め戻し材Ｂに置き換えられ、地盤Ｇの原状回復作業が完了する。
【００３４】
図２は、埋め戻し材Ｂを投入する工程の詳細を示す。図１のように、柱状改質部Ｃとその周辺の土砂類を撤去した後、ケーシング１１、２１の内部には、埋め戻し材Ｂを投入するが、その際、埋め戻し材Ｂを隙間なく均等に詰め込むため、埋め戻し材Ｂと投入と、その突き固めと、ケーシング１１、２１の引き上げは、バラバラに行うのではなく、連動させる必要がある。
【００３５】
埋め戻しの際は、まず図２の左上に描くように、連結されたケーシング１１、２１をそのままの状態にしながら、埋め戻し材Ｂを一定量だけ投入する。次に図２の中央上に描くように、ケーシング１１、２１を一定距離だけ引き上げるが、これにより、先頭ケーシング１１が存在していた箇所に環状の隙間が生じてしまう。しかし引き続き、図２の右上に描くように、グラブバケット３１をケーシング１１、２１の内部に差し込み、埋め戻し材Ｂを上から突き固めると、埋め戻し材Ｂが押し流され、先頭ケーシング１１が抜けた隙間も埋め尽くされる。なお、グラブバケット３１の前面は球形であるため、埋め戻し材Ｂは、必然的に外側に押し流され、先頭ケーシング１１が抜けた隙間に円滑に入り込む。
【００３６】
その後、図２の左下に描くように、再び、埋め戻し材Ｂを一定量だけ投入する。次に図２の中央下に描くように、ケーシング１１、２１を引き上げるが、その際、最上部の中間ケーシング２１は、全体が地上に現れる。そこでこの中間ケーシング２１は、作業の支障とならないよう、他のケーシング１１、２１から切り離す。この切り離し作業を進めると共に、図２の右下に描くように、ケーシング１１、２１の内部の埋め戻し材Ｂを突き固め、先頭ケーシング１１が抜けた環状の隙間を埋め尽くす。
【００３７】
図２の工程を繰り返すことで、全てのケーシング１１、２１が地上に引き上げられるほか、地盤Ｇが完全に埋め戻され、原状回復が実現する。このように埋め戻しの際、三工程を連動させることで、埋め戻し材Ｂを隙間なく均等に詰め込み、後の地盤沈下を防ぐことができる。なお、一度の埋め戻し材Ｂの投入量や、ケーシング１１、２１の引き上げ距離は、埋め戻し材Ｂが隙間なく均等に圧入されることを前提に決定するが、その際は、埋め戻し材Ｂの流動性や、グラブバケット３１の推進力などの諸条件を考慮する。
【符号の説明】
【００３８】
１１  先頭ケーシング
１２  切刃
２１  中間ケーシング
３１  グラブバケット
３２  爪
３３  バケット
Ｂ    埋め戻し材
Ｃ    柱状改質部（ソイルセメントコラム）
Ｇ    地盤
【図１】
0006502231.tif 000002
【図２】
0006502231.tif 000003